(57)【要約】【課題】顧客の利便性を向上させ、手書き記入によって媒体不良となるリスクを軽減させることができる自動取引装置を提供する。【解決手段】印字満了となった旧通帳に印字された取引データを新規通帳へ繰り越す自動取引装置であって、旧通帳に印字された取引データを新規通帳へ繰り越すことを希望するか否かが設定された設定テーブルに基づいて、旧通帳に印字された取引データを新規通帳へ繰り越すか否かを判断する判断部２２と、繰り越す場合、設定テーブルの設定内容に応じて、旧通帳に印字された取引データを繰越用データとして編集する編集部２３と、編集された繰越用データを新規通帳へ印字する印字部２４とを備える。【選択図】図２
2017220154.tif 000002
【特許請求の範囲】
【請求項１】
印字満了となった旧通帳に印字された取引データを新規通帳へ繰り越す自動取引装置であって、
前記旧通帳に印字された取引データを前記新規通帳へ繰り越すことを希望するか否かが設定された設定テーブルに基づいて、前記旧通帳に印字された取引データを前記新規通帳へ繰り越すか否かを判断する判断部と、
繰り越す場合、前記設定テーブルの設定内容に応じて、前記旧通帳に印字された取引データを繰越用データとして編集する編集部と、
編集された前記繰越用データを前記新規通帳へ印字する印字部とを、
備えることを特徴とする自動取引装置。
【請求項２】
前記新規通帳へ繰り越すことを希望するが、繰り越す取引データの科目が前記設定内容に設定されていない場合、
前記旧通帳に印字された取引データを表示させる表示制御部を更に備え、
前記編集部は、表示された前記取引データのユーザによる選択に応じて、前記旧通帳に印字された取引データを前記繰越用データとして編集することを特徴とする請求項１に記載の自動取引装置。
【請求項３】
前記新規通帳へ繰り越すことを希望するが、繰り越す取引データの科目が前記設定内容に設定されていない場合、
ユーザによって入力される取引データの科目を受け付ける受付部を更に備え、
前記編集部は、受け付けた前記科目に対応する取引データを前記旧通帳の取引データから抽出し、抽出した前記取引データを繰越用データとして編集することを特徴とする請求項１に記載の自動取引装置。
【請求項４】
編集された前記繰越用データをユーザの携帯端末へ送信する送信部を更に備えることを特徴とする請求項１から３のいずれか１つに記載の自動取引装置。
【請求項５】
印字満了となった旧通帳に印字された取引データを新規通帳へ繰り越す自動取引装置による取引データ繰越方法であって、
前記旧通帳に印字された取引データを前記新規通帳へ繰り越すことを希望するか否かが設定された設定テーブルに基づいて、前記旧通帳に印字された取引データを前記新規通帳へ繰り越すか否かを判断するステップと、
繰り越す場合、前記設定テーブルの設定内容に応じて、前記旧通帳に印字された取引データを繰越用データとして編集するステップと、
編集された前記繰越用データを前記新規通帳へ印字するステップとを、
有することを特徴とする取引データ繰越方法。
【請求項６】
印字満了となった旧通帳に印字された取引データを新規通帳へ繰り越す取引データ繰越プログラムであって、
前記旧通帳に印字された取引データを前記新規通帳へ繰り越すことを希望するか否かが設定された設定テーブルに基づいて、前記旧通帳に印字された取引データを前記新規通帳へ繰り越すか否かを判断するステップと、
繰り越す場合、前記設定テーブルの設定内容に応じて、前記旧通帳に印字された取引データを繰越用データとして編集するステップと、
編集された前記繰越用データを前記新規通帳へ印字するステップとを、
コンピュータに実行させることを特徴とする取引データ繰越プログラム。
【発明の詳細な説明】
【技術分野】
【０００１】
本発明は、印字満了により新規通帳を発行する自動取引装置に関する。
【背景技術】
【０００２】
現在の自動取引装置（ＡＴＭ：Automated Teller Machine）は、取引データの印字により通帳が印字満了（満行）になった場合、新規通帳を発行する機能を有している（例えば、下記の特許文献１を参照）。新規通帳の発行の際、印字満了になった旧通帳に印字された取引データは新規通帳へ引き継がれない。これにより、新規通帳に印字された取引データ（例えば、引き落とされた電気料金などの公共料金）と、旧通帳に印字された過去の取引データとを比較するには、旧通帳を取り出して見なければならないため、旧通帳を保管しておく必要がある。
【先行技術文献】
【特許文献】
【０００３】
【特許文献１】特開２００１−８４４３３号公報
【発明の概要】
【発明が解決しようとする課題】
【０００４】
しかし、保管する旧通帳が増えると、その管理は煩わしく、また新規通帳と旧通帳の取引データを比較する場合、複数ある旧通帳の中から所望の取引データが印字された旧通帳を取り出さなければならず、手間がかかるという問題があった。また、ユーザは、通帳の取引データの印字部分に過去の取引データを手書きで記入することがあり、その場合、ＡＴＭは通帳印字行を誤検知して媒体不良の扱いで取引を停止してしまうという問題があった。
【０００５】
本発明は、上記課題に鑑み、顧客の利便性を向上させ、手書き記入によって媒体不良となるリスクを軽減させることができる自動取引装置を提供することを目的とする。
【課題を解決するための手段】
【０００６】
上記目的を達成するために、本発明は、印字満了となった旧通帳に印字された取引データを新規通帳へ繰り越す自動取引装置であって、前記旧通帳に印字された取引データを前記新規通帳へ繰り越すことを希望するか否かが設定された設定テーブルに基づいて、前記旧通帳に印字された取引データを前記新規通帳へ繰り越すか否かを判断する判断部と、繰り越す場合、前記設定テーブルの設定内容に応じて、前記旧通帳に印字された取引データを繰越用データとして編集する編集部と、編集された前記繰越用データを前記新規通帳へ印字する印字部とを備えることを特徴とする。
【０００７】
また、本発明の自動取引装置において、前記新規通帳へ繰り越すことを希望するが、繰り越す取引データの科目が前記設定内容に設定されていない場合、前記旧通帳に印字された取引データを表示させる表示制御部を更に備え、前記編集部が、表示された前記取引データのユーザによる選択に応じて、前記旧通帳に印字された取引データを前記繰越用データとして編集することは、好ましい態様である。
【０００８】
また、本発明の自動取引装置において、前記新規通帳へ繰り越すことを希望するが、繰り越す取引データの科目が前記設定内容に設定されていない場合、ユーザによって入力される取引データの科目を受け付ける受付部を更に備え、前記編集部が、受け付けた前記科目に対応する取引データを前記旧通帳の取引データから抽出し、抽出した前記取引データを繰越用データとして編集することは、好ましい態様である。
【０００９】
また、本発明の自動取引装置において、編集された前記繰越用データをユーザの携帯端末へ送信する送信部を更に備えることは、好ましい態様である。
【００１０】
また、本発明は、印字満了となった旧通帳に印字された取引データを新規通帳へ繰り越す自動取引装置による取引データ繰越方法であって、前記旧通帳に印字された取引データを前記新規通帳へ繰り越すことを希望するか否かが設定された設定テーブルに基づいて、前記旧通帳に印字された取引データを前記新規通帳へ繰り越すか否かを判断するステップと、繰り越す場合、前記設定テーブルの設定内容に応じて、前記旧通帳に印字された取引データを繰越用データとして編集するステップと、編集された前記繰越用データを前記新規通帳へ印字するステップとを有することを特徴とする。
【００１１】
また、本発明は、印字満了となった旧通帳に印字された取引データを新規通帳へ繰り越す取引データ繰越プログラムであって、前記旧通帳に印字された取引データを前記新規通帳へ繰り越すことを希望するか否かが設定された設定テーブルに基づいて、前記旧通帳に印字された取引データを前記新規通帳へ繰り越すか否かを判断するステップと、繰り越す場合、前記設定テーブルの設定内容に応じて、前記旧通帳に印字された取引データを繰越用データとして編集するステップと、編集された前記繰越用データを前記新規通帳へ印字するステップとをコンピュータに実行させることを特徴とする。
【発明の効果】
【００１２】
本発明によれば、顧客の利便性を向上させ、手書き記入によって媒体不良となるリスクを軽減させることができる。
【図面の簡単な説明】
【００１３】
【図１】実施の形態に係るＡＴＭの外観の一例を示す図である。
【図２】実施の形態に係るＡＴＭの機能構成の一例を示す図である。
【図３】実施の形態における顧客情報ファイルの構成の一例を示す図である。
【図４】実施の形態における顧客通帳印字ファイルの構成の一例を示す図である。
【図５Ａ】実施の形態に係るＡＴＭにおける繰越情報の設定操作フローの一部を示すフローチャートである。
【図５Ｂ】実施の形態に係るＡＴＭにおける繰越情報の設定操作フローの一部を示すフローチャートである。
【図６】実施の形態に係るＡＴＭにおける取引選択メニュー画面の一例を示す図である。
【図７】実施の形態に係るＡＴＭにおける取引選択画面の一例を示す図である。
【図８】実施の形態に係るＡＴＭにおける設定確認画面の一例を示す図である。
【図９】実施の形態に係るＡＴＭにおける通帳挿入待ち画面の一例を示す図である。
【図１０】実施の形態に係るＡＴＭにおける科目選択画面の一例を示す図である。
【図１１】実施の形態に係るＡＴＭにおける設定完了画面の一例を示す図である。
【図１２Ａ】実施の形態に係るＡＴＭ１０における新規通帳への繰越処理フローの一部を示すフローチャートである。
【図１２Ｂ】実施の形態に係るＡＴＭ１０における新規通帳への繰越処理フローの一部を示すフローチャートである。
【図１３】実施の形態に係るＡＴＭにおける繰り越す科目の取引データを表示した画面の一例を示す図である。
【図１４】実施の形態に係るＡＴＭにおける繰越データ選択画面の一例を示す図である。
【図１５】実施の形態における旧通帳に印字された取引データを示す図である。
【図１６】実施の形態における新規通帳に繰り越された取引データを示す図である。
【図１７】実施の形態に係るＡＴＭを実現するためのハードウェア構成の一例を示す図である。
【発明を実施するための形態】
【００１４】
以下、実施の形態について図面を参照して説明する。まず、実施の形態に係る自動取引装置（ＡＴＭ）の一例について図１を用いて説明する。ＡＴＭ１０は、不図示のホストコンピュータに接続され、ユーザからのリクエストに応じて支払、預入、残高照会、通帳記入、振込、振替などの取引を実行する機能を有する。また、ＡＴＭ１０は、上記機能以外に、印字満了により新規通帳（新通帳とも言う）を発行する機能を有し、印字満了となった旧通帳に印字された取引データを新規通帳に繰り越す（引き継ぐ）機能を更に有する。新規通帳への繰越処理については後述する。
【００１５】
ＡＴＭ１０は、取引を行うための取引キーなどを表示する表示部１１と、硬貨を投入するための硬貨投入口１２と、紙幣を投入するための紙幣投入口１３と、ＩＣカードなどを挿入するためのカード挿入口１４と、通帳を挿入及び排出するための通帳挿入口２０から構成されている。なお、ＡＴＭ１０は、上記構成以外にも様々な構成を有するが、ここでは省略する。
【００１６】
次に、実施の形態に係るＡＴＭの機能構成の一例について図２を用いて説明する。図２に示すように、ＡＴＭ１０は、送受信部２１、判断部２２、編集部２３、印字部２４、表示制御部２５、受付部２６から構成されている。なお、ＡＴＭ１０の構成はこれに限られるものではなく、他の構成を含むものであってもよい。
【００１７】
送受信部２１は、通帳記入などの取引を実行する際、通帳情報（例えば、店番、口座番号などの情報）を含む電文をホストコンピュータに送信したり、ユーザが所望する取引に応じたデータ（例えば、後述する顧客情報ファイルや顧客通帳印字ファイルなど）をホストコンピュータから受信したりする。また、送受信部２１は、後述する編集部２３によって編集された繰越用データをユーザが所持する端末（スマートフォンやＰＣなど）に送信するようにしてもよい。これにより、ユーザは、自身の端末で容易に繰越用データを管理することができる。
【００１８】
判断部２２は、印字満了となった旧通帳に印字された取引データを新規通帳へ繰り越すことをユーザが希望するか否かが事前に設定（登録）された顧客情報ファイル（設定テーブルとも言う）に基づいて、図１５に示すような旧通帳に印字された取引データを新規通帳へ繰り越すか否かを判断する。顧客情報ファイルについては後述する。
【００１９】
編集部２３は、判断部２２によって新規通帳へ繰り越すと判断された場合、顧客情報ファイルの繰越情報（設定内容）に応じて、旧通帳に印字された取引データを繰越用データとして編集する。また、編集部２３は、繰越用データを編集する際、所定の期間内（例えば、１年間）の取引データを対象として繰越用データを編集するようにしてもよい。なお、上記繰越用データとは、旧通帳から新規通帳へ繰り越すために抽出される取引データを言う。
【００２０】
印字部２４は、編集部２３によって編集された繰越用データを新規通帳へ印字する。このとき、繰越用データは、新規通帳の最初の印字ページから印字されるようにしてもよく、また繰越用データを印字する所定のページ（例えば、繰越用データを印字するための専用ページ）に印字されるようにしてもよい。また、印字部２４は、繰越用データを新規通帳に印字せず、レシートなどに印字するようにしてもよい。
【００２１】
表示制御部２５は、新規通帳へ繰り越すことを希望するが、繰り越す取引データの科目が繰越情報に設定されていない場合、繰り越す取引データの個別選択を行う旨のユーザからの指示（後述する個別選択キーの押下）により、ユーザに繰り越す取引データを個別に選択させるため、旧通帳に印字された取引データを表示させる。そして、編集部２３は、表示された取引データのうち、ユーザによって選択された取引データを繰越用データとして編集する。なお、科目とは、取引内容を示すものであって、例えば、引き落とされる公共料金の種類名などである。
【００２２】
受付部２６は、新規通帳へ繰り越すことを希望するが、繰り越す取引データの科目が繰越情報に設定されていない場合、繰り越す取引データの科目（キーワード）の入力を行う旨のユーザからの指示（後述する科目入力キーの押下）に基づいて、入力される取引データの科目を受け付ける。そして、編集部２３は、受け付けた科目に対応する取引データを旧通帳の取引データから抽出し、抽出した取引データを繰越用データとして編集する。
【００２３】
ここで、顧客情報ファイルの一例について図３を用いて説明する。図３に示すように、顧客情報ファイルは、項、店番、口座番号、氏名、繰越情報の項目から構成されている。なお、顧客情報ファイルは、この構成に限られるものではなく、他の項目を含むものであってもよい。
【００２４】
店番は金融機関の支店を特定する番号である。繰越情報は、旧通帳に印字された取引データを新規通帳へ繰り越すことを希望するか否か、また希望する場合にはどの科目の取引データを繰り越すかを示すものである。繰越情報は、事前にユーザによって設定されるものである。設定操作のフローについては後述する。
【００２５】
図３において、口座番号が１１１１１１１のユーザＡの場合、繰り越す科目は電気料金である。また、口座番号が３３３３３３３のユーザＣの場合、繰越情報には横棒が記載されている。この横棒は、繰り越しは希望するが、繰り越す科目は事前に設定せず、新規通帳発行時にその都度、繰り越す取引データを選択することを示す。この場合、後述するように、取引データを個別に選択したり、入力された科目に対応する取引データを抽出して選択したりする。また、口座番号が４４４４４４４のユーザＤの場合、繰越情報は空欄となっている。これは、繰り越しを希望しないことを示し、旧通帳の取引データは新規通帳へ繰り越されない。
【００２６】
次に、顧客通帳印字ファイルの一例について図４を用いて説明する。顧客通帳印字ファイルは、通帳記入が選択され、通帳への印字が満了になった場合にホストコンピュータからＡＴＭ１０へ送信される旧通帳に印字された取引データである。顧客通帳印字ファイルは、項、店番、口座番号、氏名、通帳印字レコードの項目から構成されている。なお、顧客通帳印字ファイルは、この構成に限られるものではなく、他の項目を含むものであってもよい。
【００２７】
通帳印字レコードは、取引の日付、科目、払出額、預入額、残高から構成されている。例えば、口座番号１１１１１１１のユーザＡにおいては、２０１５年１月１日に電気料金１０，０００円が口座から引き落とされ、残高が１，０００，０００円となっている。また、２０１５年３月１日に利子１０，０００円が口座に振り込まれ、残高が９２０，０００円となっている。口座番号２２２２２２２のユーザＢにおいても同様に旧通帳の取引データが記載されている。
【００２８】
なお、顧客通帳印字ファイルがホストコンピュータから取得できない場合には、ＡＴＭ１０は、旧通帳を光学的に読み取り、読み取ったデータを変換して取引データを取得するようにしてもよい。
【００２９】
次に、実施の形態に係るＡＴＭ１０における繰越情報の設定操作フローについて図５Ａ及び図５Ｂを用いて説明する。図５Ａ及び図５Ｂに示すように、ユーザがＡＴＭ１０による取引を開始すると、ＡＴＭ１０は、図６に示すような取引選択メニュー画面をＡＴＭ１０の表示部１１に表示する（ステップＳ５０１）。ＡＴＭ１０は、表示された取引キーの中からキーの押下があったか否かを判断し（ステップＳ５０２）、キーの押下がない場合（ステップＳ５０２でＮｏ）はステップＳ５０２に戻る。
【００３０】
一方、キーの押下があった場合（ステップＳ５０２でＹｅｓ）、押下されたキーが各種手続の取引キーであるか否かを判断する（ステップＳ５０３）。押下されたキーが各種手続の取引キーでない場合（ステップＳ５０３でＮｏ）、押下されたキーの取引処理（例えば、お預入れなどの処理）を行い（ステップＳ５０４）、終了する。この取引処理は従来の取引処理と同様であるため説明を省略する。なお、通帳記入の取引キーの押下の場合には、後述する図１２Ａ及び図１２Ｂに示すフローを実行する。
【００３１】
押下されたキーが各種手続の取引キーである場合（ステップＳ５０３でＹｅｓ）、ＡＴＭ１０は、図７に示すような取引選択画面を表示部１１に表示する（ステップＳ５０５）。ＡＴＭ１０は、表示された取引キーの中からキーの押下があったか否かを判断し（ステップＳ５０６）、キーの押下がない場合（ステップＳ５０６でＮｏ）はステップＳ５０６に戻る。
【００３２】
一方、キーの押下があった場合（ステップＳ５０６でＹｅｓ）、押下されたキーが繰越情報設定の取引キーであるか否かを判断する（ステップＳ５０７）。押下されたキーが繰越情報設定の取引キーでない場合（ステップＳ５０７でＮｏ）、押下されたキーの取引処理（暗証番号変更や住所変更の処理）を行い（ステップＳ５０８）、終了する。この取引処理は従来の取引処理と同様であるため説明を省略する。
【００３３】
押下されたキーが繰越情報設定の取引キーである場合（ステップＳ５０７でＹｅｓ）、ＡＴＭ１０は、図８に示すような設定確認画面を表示部１１に表示する（ステップＳ５０９）。ＡＴＭ１０は、表示された選択キーの中からキーの押下があったか否かを判断し（ステップＳ５１０）、キーの押下がない場合（ステップＳ５１０でＮｏ）はステップＳ５１０に戻る。
【００３４】
一方、キーの押下があった場合（ステップＳ５１０でＹｅｓ）、押下されたキーが確認のキーであるか否かを判断する（ステップＳ５１１）。押下されたキーが確認のキーでない、取消のキーの場合（ステップＳ５１１でＮｏ）、設定確認画面の取消処理を行い（ステップＳ５１２）、終了する。終了後には、例えば図６に示すような画面を表示部１１に表示させる。
【００３５】
押下されたキーが確認のキーである場合（ステップＳ５１１でＹｅｓ）、ＡＴＭ１０は、図９に示すような通帳挿入待ち画面を表示部１１に表示する（ステップＳ５１３）。ＡＴＭ１０は、通帳の挿入が検知されたか否かを判断し（ステップＳ５１４）、通帳の挿入が検知されない場合（ステップＳ５１４でＮｏ）、ステップＳ５１４に戻る。一方、通帳の挿入が検知された場合（ステップＳ５１４でＹｅｓ）、ＡＴＭ１０は、挿入された通帳の通帳情報（例えば、店番、口座番号など）をＭＳ（Magnetic Stripe）から読み込む（ステップＳ５１５）。ＡＴＭ１０は、読み込んだ通帳情報を含めて、繰越情報の参照をするための電文を編集する（ステップＳ５１６）。ＡＴＭ１０は、編集した電文をホストコンピュータに送信する（ステップＳ５１７）。
【００３６】
ＡＴＭ１０は、送信した電文を受信したホストコンピュータから顧客情報ファイルと顧客通帳印字ファイルを受信する（ステップＳ５１８）。ＡＴＭ１０は、顧客通帳印字ファイルから科目を抽出し（ステップＳ５１９）、図１０に示すような科目を選択する科目選択画面を表示部１１に表示する（ステップＳ５２０）。ＡＴＭ１０は、表示されたキーの中からキーの押下があったか否かを判断し（ステップＳ５２１）、キーの押下がない場合（ステップＳ５２１でＮｏ）はステップＳ５２１に戻る。
【００３７】
一方、キーの押下があった場合（ステップＳ５２１でＹｅｓ）、押下されたキーが選択完了のキーであるか否かを判断する（ステップＳ５２２）。押下されたキーが選択完了のキーでない場合（ステップＳ５２２でＮｏ）、選択取消の処理を行い（ステップＳ５２３）、終了する。終了後には、例えば図６に示すような画面を表示部１１に表示させる。
【００３８】
押下されたキーが選択完了のキーである場合（ステップＳ５２２でＹｅｓ）、ＡＴＭ１０は、１つ以上の科目が選択されているか否かを判断し（ステップＳ５２４）、選択されていない場合（ステップＳ５２４でＮｏ）、ステップＳ５２０へ戻る。一方、１つ以上の科目が選択されている場合（ステップＳ５２４でＹｅｓ）、ＡＴＭ１０は、選択した科目の情報（繰越情報）や通帳情報などを含めて、繰越情報の設定をするための電文を編集する（ステップＳ５２５）。ＡＴＭ１０は、編集した電文をホストコンピュータに送信し（ステップＳ５２６）、図１１に示すような設定が完了した旨の設定完了画面を表示部１１に表示し（ステップＳ５２７）、通帳を排出する（ステップＳ５２８）。
【００３９】
次に、実施の形態に係るＡＴＭ１０における新規通帳への繰越処理フローについて図１２Ａ及び図１２Ｂを用いて説明する。図１２Ａ及び図１２Ｂに示すように、ユーザがＡＴＭ１０による取引を開始すると、ＡＴＭ１０は、図６に示すような取引選択メニュー画面をＡＴＭ１０の表示部１１に表示する（ステップＳ１２０１）。ＡＴＭ１０は、表示された取引キーの中からキーの押下があったか否かを判断し（ステップＳ１２０２）、押下がない場合（ステップＳ１２０２でＮｏ）はステップＳ１２０２に戻る。
【００４０】
一方、押下があった場合（ステップＳ１２０２でＹｅｓ）、押下された取引キーが通帳記入の取引キーであるか否かを判断する（ステップＳ１２０３）。押下された取引キーが通帳記入の取引キーでない場合（ステップＳ１２０３でＮｏ）、押下されたキーの取引処理（お預入れなどの処理）を行い（ステップＳ１２０４）、終了する。この取引処理は従来の取引処理と同様であるため説明を省略する。
【００４１】
押下された取引キーが通帳記入の取引キーである場合（ステップＳ１２０３でＹｅｓ）、ＡＴＭ１０は、図９に示すような通帳挿入待ち画面を表示部１１に表示する（ステップＳ１２０５）。ＡＴＭ１０は、通帳の挿入が検知されたか否かを判断し（ステップＳ１２０６）、通帳の挿入が検知されない場合（ステップＳ１２０６でＮｏ）、ステップＳ１２０６に戻る。一方、通帳の挿入が検知された場合（ステップＳ１２０６でＹｅｓ）、ＡＴＭ１０は、挿入された通帳の通帳情報（例えば、店番、口座番号など）をＭＳから読み込む（ステップＳ１２０７）。ＡＴＭ１０は、読み込んだ通帳情報を含めて、通帳記入をするための電文を編集する（ステップＳ１２０８）。ＡＴＭ１０は、編集した電文をホストコンピュータに送信する（ステップＳ１２０９）。
【００４２】
ＡＴＭ１０は、電文の送信に基づいて、ホストコンピュータから未印字データを受信し、未印字データを通帳へ印字する（ステップＳ１２１０）。印字満了になると、ＡＴＭ１０は、旧通帳の取引データの新規通帳への繰り越しが必要か確認するための電文をホストコンピュータへ送信する（ステップＳ１２１１）。なお、挿入された通帳が既に印字満了である場合には、ステップＳ１２０８からステップＳ１２１０の処理は行われない。
【００４３】
ＡＴＭ１０は、送信した電文を受信したホストコンピュータから顧客情報ファイルと顧客通帳印字ファイルを受信する（ステップＳ１２１２）。ＡＴＭ１０は、受信した各ファイルを不図示の記憶領域に一時的に退避（格納）する（ステップＳ１２１３）。ＡＴＭ１０は、退避させた顧客情報ファイルの繰越情報に基づいて、旧通帳から新規通帳への取引データの繰り越しが必要か、また必要な場合、繰り越す科目の事前の設定があるかを確認する（ステップＳ１２１４）。
【００４４】
ステップＳ１２１４において、繰り越しが不要である場合には、後述するステップＳ１２２６へ進む。この場合、繰り越す取引データはないため、ステップＳ１２２６では、例えば、新規通帳の表紙などに口座番号などを印字する処理が行われる。
【００４５】
一方、ステップＳ１２１４において、繰り越しが必要であって、事前に繰り越す科目の設定がある場合には、図１３に示すような繰り越す科目の取引データを表示部１１に表示する（ステップＳ１２１５）。ＡＴＭ１０は、表示された選択キーの中からキーの押下があったか否かを判断し（ステップＳ１２１６）、キーの押下がない場合（ステップＳ１２１６でＮｏ）、ステップＳ１２１６へ戻る。キーの押下があった場合（ステップＳ１２１６でＹｅｓ）、押下されたキーが何のキーであるかを確認する（ステップＳ１２１７）。
【００４６】
ステップＳ１２１７において、繰越無キーが押下された場合、ステップＳ１２２６へ進む。また、ステップＳ１２１７において、確認キーが押下された場合、表示部１１に表示された取引データを新規通帳への繰越用データとして編集する（ステップＳ１２１８）。ＡＴＭ１０は、編集した繰越用データを新規通帳へ印字し（ステップＳ１２２６）、旧通帳の排出（ステップＳ１２２７）と新規通帳の排出（ステップＳ１２２８）を行う。新規通帳に繰り越された取引データの一例を図１６に示す。また、ステップＳ１２１７において、個別選択キーが押下された場合、後述するステップＳ１２２０へ進む。
【００４７】
一方、ステップＳ１２１４において、繰り越しが必要であって、事前に繰り越す科目の設定がない場合には、ＡＴＭ１０は、繰り越す取引データをユーザに個別に選択させるための個別選択キーと、ユーザに繰り越す科目（キーワード）を入力させるための科目入力キーを表示部１１に表示し、どちらのキーが選択されたか判断する（ステップＳ１２１９）。
【００４８】
ステップＳ１２１９において個別選択キーが選択された場合、ＡＴＭ１０は、図１４に示すような繰越データ選択画面を表示部１１に表示する（ステップＳ１２２０）。ユーザは、繰越データ選択画面から繰り越しを希望する取引データを選択する。
【００４９】
ＡＴＭ１０は、表示された選択キーの中からキーの押下があったか否かを判断し（ステップＳ１２２１）、キーの押下がない場合（ステップＳ１２２１でＮｏ）、ステップＳ１２２１へ戻る。キーの押下があった場合（ステップＳ１２２１でＹｅｓ）、押下されたキーが何のキーであるかを確認する（ステップＳ１２２２）。ステップＳ１２２２において、ユーザによる取引データの選択が終わり、選択完了キーが押下された場合、ステップＳ１２１８へ進み、選択された取引データを繰越用データとして編集する。一方、ステップＳ１２２２において、希望無キーが押下された場合、繰り越す取引データがないため、ステップＳ１２２６へ進み、新規通帳の表紙などへ口座番号などを印字する。
【００５０】
一方、ステップＳ１２１９において科目入力キーが選択された場合、ＡＴＭ１０は、科目を入力するための不図示の科目入力画面を表示部１１に表示する（ステップＳ１２２３）。ＡＴＭ１０は、入力された科目に対応する取引データを旧通帳の取引データから抽出して表示する（ステップＳ１２２４）。ＡＴＭ１０は、表示された取引データを旧通帳へ繰り越すことを承諾する確認キーが押下されたか否かを判断し（ステップＳ１２２５）、繰り越すことを承諾する確認キーが押下された場合（ステップＳ１２２５でＹｅｓ）、ステップＳ１２１８へ進み、繰り越す科目の取引データを繰越用データとして編集する。一方、繰り越すことを承諾する確認キーが押下されない場合（ステップＳ１２２５でＮｏ）、繰り越す科目の取引データがないため、ステップＳ１２２６へ進み、新規通帳の表紙などへ口座番号などを印字する。
【００５１】
ここで、実施の形態に係るＡＴＭを実現するためのハードウェア構成の一例について図１７を用いて説明する。ハードウェア構成は、例えば、ＣＰＵ１７１、ＨＤＤ（Ｈａｒｄ Ｄｉｓｋ Ｄｒｉｖｅ）１７２、ＲＯＭ（Ｒｅａｄ Ｏｎｌｙ Ｍｅｍｏｒｙ）１７３、ＲＡＭ１７４、通信インタフェース（Ｉ／Ｆ）１７５、バス１７６を備えている。ＣＰＵ１７１、ＨＤＤ１７２、ＲＯＭ１７３、ＲＡＭ１７４、通信インタフェース（Ｉ／Ｆ）１７５は、例えば、バス１７６を介して互いに接続されている。
【００５２】
ＣＰＵ１７１は、バス１７６を介して、ＨＤＤ１７２などに格納されるＡＴＭ１０の各種処理を行うためのプログラムを読み込み、読み込んだプログラムをＲＡＭ１７４に一時的に格納し、そのプログラムにしたがって各種処理を行うものである。
【００５３】
ＨＤＤ１７２には、ＡＴＭ１０の各種処理を行うためのアプリケーションプログラムや、ＡＴＭ１０の処理に必要なデータなどが格納される。
【００５４】
ＲＯＭ１７３は、不揮発性メモリであって、ブートプログラムやＢＩＯＳ（ＢａｓｉｃＩｎｐｕｔ／Ｏｕｔｐｕｔ Ｓｙｓｔｅｍ）などのプログラムを記憶する。
【００５５】
ＲＡＭ１７４は、揮発性メモリであって、ＣＰＵ１７１に実行させるためのＯＳ（Ｏｐｅｒａｔｉｎｇ Ｓｙｓｔｅｍ）プログラムやアプリケーションプログラムの一部が一時的に格納される。また、ＲＡＭ１７４には、ＣＰＵ１７１による処理に必要な各種データが格納される。
【００５６】
通信インタフェース（Ｉ／Ｆ）１７５は、外部（ホストコンピュータなど）と取引データなどの送受信を行うものである。
【００５７】
バス１７６は、各装置間の制御信号、データ信号などの授受を媒介する経路である。
上述したようなＡＴＭ１０によれば、顧客の利便性を向上させ、手書き記入によって媒体不良となるリスクを軽減させることができる。
【００５８】
なお、上述した実施の形態では、ＡＴＭ１０などの主な処理をＣＰＵによるソフトウェア処理によって実行するものとして説明したが、この処理の全部又は一部をハードウェアによって実現するようにしてもよい。
【００５９】
また、上述した実施の形態は、上述したものに限定されるものではなく、実施の形態の要旨を逸脱しない範囲において種々の変更を加えることができる。
【符号の説明】
【００６０】
１０  ＡＴＭ
１１  表示部
１２  硬貨投入口
１３  紙幣投入口
１４  カード挿入口
２０  通帳挿入口
２１  送受信部
２２  判断部
２３  編集部
２４  印字部
２５  表示制御部
２６  受付部
１７１  ＣＰＵ
１７２  ＨＤＤ
１７３  ＲＯＭ
１７４  ＲＡＭ
１７５  通信インタフェース（Ｉ／Ｆ）
１７６  バス
【図１】
2017220154.tif 000003
【図２】
2017220154.tif 000004
【図３】
2017220154.tif 000005
【図４】
2017220154.tif 000006
【図５Ａ】
2017220154.tif 000007
【図５Ｂ】
2017220154.tif 000008
【図６】
2017220154.tif 000009
【図７】
2017220154.tif 000010
【図８】
2017220154.tif 000011
【図９】
2017220154.tif 000012
【図１０】
2017220154.tif 000013
【図１１】
2017220154.tif 000014
【図１２Ａ】
2017220154.tif 000015
【図１２Ｂ】
2017220154.tif 000016
【図１３】
2017220154.tif 000017
【図１４】
2017220154.tif 000018
【図１５】
2017220154.tif 000019
【図１６】
2017220154.tif 000020
【図１７】
2017220154.tif 000021